(57)【要約】【課題】ＰＤＡなどの携帯用機器を持ち歩かなくても、最寄の病室の出入口に設置され、病室からの呼出時に代表灯を点灯したり、呼出した患者の氏名を表示できる個別情報廊下灯において、必要なときに、患者の個人データを閲覧したり、看護情報や温度表の入力が容易にできるようにすること。【解決手段】病室からの呼出時に患者の氏名などを表示する個別情報廊下灯にデータ入力機能をもたせることにより、ＰＤＡや患者用情報端末のような専用の入力機器を不要にする。【選択図】図１
2005339327.tif 000002
【特許請求の範囲】
【請求項１】
ナースコールサーバや情報システムとの間で患者データを送受信できるナースコール親機と、前記ナースコール親機に接続され、病室の出入口において、呼出情報、患者情報などを液晶表示する個別情報廊下灯と、
前記個別情報廊下灯に接続され、前記ナースコール親機との間で呼出し・通話ができるナースコール子機とを備え、
前記個別情報廊下灯は、患者の個人データを表示する患者データ画面と、
患者データを入力する入力画面と、
入力した患者データを記憶する記憶部と、
患者データを送受信するデータ送受信回路とを有することを特徴とするナースコールシステム。
【請求項２】
前記個別情報廊下灯は、当該廊下灯の管理対象となる患者に限定した個人情報を入力し、これを記憶できるようにしたことを特徴とする請求項１記載のナースコールシステム
【発明の詳細な説明】
【技術分野】
【０００１】
本発明は、病院や介護施設で使用されるナースコールシステムに係わり、特に、病室の出入口に設置され、病室の患者名などが表示される個別情報廊下灯を有するナースコールシステムに関する。
【背景技術】
【０００２】
ナースステーションに配置されるナースコール親機と病室に配置されるナースコール子機を使って看護師と患者との間で呼出通話をするためのナースコールシステムも、急速なコンピュータ化が進んでいる。コンピュータ化が始まった１９８０年代は、ナースコールのハード制御部分をコンピュータ化したにすぎなかったが、現在では、医療情報や看護情報のデータベースシステムを一体に組み込むものが増えている。
【０００３】
このようなコンピュータナースコールにおいては、患者から呼出があったり、応答通話するときは、内部に記憶された患者・看護情報データベースから患者の識別データや当該患者に対する指示データあるいは容態データ・看護データが自動的に取り出され、親機の液晶画面に表示されるようになっており、患者の病状や看護経緯を的確に把握しながら、適切な応答通話と迅速な看護処置ができるので、看護効率の向上に欠かせないものになっている。
【０００４】
このような利点は、患者・看護データベースが適正に維持更新されることにより達成できるものであり、日々正しいデータを容易かつ迅速に入力・更新する仕組みがなければ達成できない。データ入力の難易は、コンピュータナースコールの使命を制するといっても過言ではなく、新規な入力方法が種々考案されている。
【０００５】
なお、コンピュータナースコールで利用できる患者データの一部を参考に列記する。
まず、患者に固有の固定データとして、患者氏名、識別ＩＤ、性別、血液型、年齢、住所などがあり、半固定データとして、患者のベッド番号、救護区分、看護度区分、診療科目、担当医などがあり、日々変動するデータとして、体温、血圧、呼吸数などのバイタルデータがある。その他、看護計画データ、看護履歴データなど、広範にわたる。
【０００６】
ところで、患者データ、看護データの入力手段は各種あるが、代表的なものとして、ナースコール親機（パソコン含む）の画面で案内メニューに従ってデータ入力をできるものが知られている（例えば特許文献１など）。
【０００７】
また、ＰDA（Personal Digital Assistance）に入力し、このデータをホストコンピュータに移す方法も知られている（例えば特許文献2など）。
【０００８】
他の例には、ナースコール子機として、タッチパネル式の患者用情報端末を使用し、この端末を使って、医師又は看護婦などの医療スタッフが患者情報を見たり、回診や看護結果の入力ができるものが知られている（例えば、特許文献３など）。
【０００９】
また、個人別情報廊下灯については、オーダリングシステムに連動する専用の記憶装置を備え、記憶装置から読み出した患者情報や看護情報を表示できるようにしたのが知られている（例えば、特許文献４など）。
【００１０】
【特許文献１】・・・・・・・・・・・・・・・・特許第２８８７５５２号公報
【特許文献２】・・・・・・・・・・・・・・・・特許第２８９５８１０号公報
【特許文献３】・・・・・・・・・・・・・・・・特許第３３３６２４１号公報
【特許文献４】・・・・・・・・・・・・・・・・特開２００４−１０４６９１号公報
【発明の開示】
【発明が解決しようとする課題】
【００１１】
特許文献１の発明では、看護師などが病床の患者の看護記録をとる場合には、所持している手帳に忘れないようにメモし、そのメモの内容を、通常、ナースセンター内に設置されている親機乃至パソコンの場所まで移動して転記入力しなければならず、２度手間で時間がかかるばかりでなく、転記ミスも発生しやすかった。
【００１２】
特許文献２の発明では、データ入力は患者がいるベッドサイドでできるが、データを保存するためには、上記と同様、ホストコンピュータの場所まで移動し、データの保存作業を実施しなければならない。転記ミスは発生しないが、移動に時間がかかり、看護効率を低下させる。
【００１３】
特許文献３の発明では、患者の面前でなければ入力作業が実施できないし、また、全病床に患者用の情報端末を設置しなければならないため、ナースコールシステムとしてのコストアップは避けられない。患者は、看護師などの医療スタッフが情報端末の操作状況をつぶさに観察することができるから、患者に勝手に操作されないようにするには、高度なセキュリティ対策が必要になる。
【００１４】
特許文献４の発明では、患者情報や看護情報を表示できるが、各情報は、専用の記憶装置に記憶されており、情報の読み取りや、伝送に時間がかかるばかりでなく、個別情報廊下灯において、情報を入力することはできない。
【００１５】
当該文献には、「タッチパネルの操作によって、廊下灯情報表示部のバックライトを点灯させるとともに、必要な前記患者情報
又は、前記患者情報 並びに前記看護情報を読み出すことが可能である。」という記載が認められる。
すなわち、タッチパネルの操作は、バックライト点灯ボタン、情報表示ボタン、すなわち、一種のスイッチボタンとしての機能を果たしているにすぎない。
【００１６】
また、当該文献には、「患者の各種情報を編集可能に記憶し」という記載がみとめられるが、編集画面として図示されている図５を見ると、第１のメンテ画面、第２のメンテ画面に示されているように、編集可能な各種情報というのは、機器の設定情報、ＬＣＤの設定情報、ソフトのバージョン情報、テスト情報などを意味していることがわかる。
少なくとも、看護情報、患者情報の入力を企図したものではない。
【課題を解決するための手段】
【００１７】
本発明は、病室からの呼出時に患者の氏名などを表示する個別情報廊下灯にデータ入力機能をもたせることにより、ＰＤＡや患者用情報端末のような専用の入力機器を不要にするものである。
【００１８】
また、本発明は、個別情報廊下灯において、各廊下灯は、その病室のベッド乃至患者の個人情報を記憶する記憶部を有することにより、処理スピードの向上と、記憶容量の低減をはかるものである。
【発明の効果】
【００１９】
本発明によれば、目的の患者がいる病室の出入口にある情報廊下灯で、データ入力ができるので、入室または退室のとき、所定の手順でデータ入力を実施すればよく、いちいち、ナースステーションまで戻る必要もない。従って、入力遅れがなく、また、入力忘れが発生しにくい。また、重いＰＤＡなどを持ち歩く必要もない。
【００２０】
また、各情報廊下灯は、設置されている病室の患者に絞ったデータ処理ができるように構成されているため、操作画面の簡素化、記憶容量の低減、処理スピード向上、低コスト化を図ることができる。
【発明を実施するための最良の形態】
【００２１】
以下、本発明に係る実施形態を添付図面に従って説明する。
図1において、本発明のナースコールシステムは、例えば、各ナースステーション毎に設置され、呼出報知機能、通話機能および情報表示機能を有するナースコール親機１と、各病室の出入口にそれぞれ設置され、呼出機能および情報表示機能を有するタッチパネル式個別情報廊下灯２と、病室内の各ベッド付近に設置され、呼出機能および通話機能を有するナースコール子機３とを有する。
【００２２】
また、図示の例では、ナースコール親機１は、ＰＢＸ（private branch exchange）４に接続されている。このＰＢＸ４には、看護婦などが携帯するＰＨＳなどの無線端末６と通信できる複数の無線基地局５が、適当な間隔を置いて接続されており、看護師などは、この無線端末６を用いて、ナースコール子機３との間で無線で通信することもできる。
【００２３】
さらに、ナースコール親機１は、院内システムネットワーク７に接続されており、この院内シスムネットワーク７には、ナースコール親機１に必要な患者の個人情報などを記憶するナースコールサーバ８や、看護支援システム９、院内情報システム（オーダエントリシステム、電子カルテシステム、検査部門システム、外来部門システム、その他の情報システムを含む）１０が接続されている。１１は、ＰＤＡのような携帯可能な情報端末であり、この情報端末に入力された看護データは、看護支援システム９のパソコンに有線または無線で転送される。
【００２４】
これら、すなわち、ナースコールサーバ８、看護支援システム９、院内情報システム１０のデータは、識別番号、患者名、生年月日など各システムで共有するデータも多く、相互に、最新データで更新されるようになっている。
【００２５】
なお、病院等の規模が小さい場合は、上記のような大規模なネットワーク構成は不要で、ナースコールシステムのみをスタンドアローンで構成することもできる。この場合、前記ナースコールサーバ７は、患者データの管理装置として、直接、ナースコール親機２に接続し、必要に応じて、これに、看護データなどを入力、変更、蓄積できるようにする。
【００２６】
ナースコール親機１は、院内システムネットワーク７を介して、ナースコールサーバ８の蓄積データを参照できるだけでなく、必要に応じて、看護支援システム９や院内情報システムの蓄積データを参照できる。
【００２７】
また、ナースコール親機１で新規に取得される、例えば、個別情報廊下灯２に入力される看護等に関する更新データなどは、院内システムネットワーク７を介して、ナースコールサーバ８、看護支援システム９、院内情報システム１０に送信され、これらのデータを更新できるようになっている。
【００２８】
図２は個別情報廊下灯の待機状態の１例を示すものである。本体の上部には、ナースコール子機３から呼出があると、点灯または点滅して呼出を周囲に報知する横長の代表灯１２があり、その下部中央には矩形の液晶式タッチパネル１３が装着されている。タッチパネル１３に表示される花の種類は、各病室毎に異なり、図示例はひまわりという名の病室の個別情報廊下灯の例である。代表灯１２は、図示の例では、横長の半円筒を３本並べた形状で、前方へ突出した立体的なものであり、これが、点灯すると、側方からも点灯を確認することができる。
【００２９】
なお、この待機画面の図柄は、使い勝手に応じて変更可能で、動物の図柄でもよいし、あるいは、病室名を表す図柄に加えて、同時に、掲示板などの機能をもたせ、一般的な連絡事項を文字表示させることができる。個別情報廊下灯２に掲示文が表示されているときは、代表灯１２の点灯色などを変えるなどして注意を惹起するとよい。
【００３０】
前述したように、病室のナースコール子機３から呼出があると、個別情報廊下灯２の代表灯１２が点灯または点滅すると共に、ナースコール親機１に呼出信号が送られる。また、ナースコール親機１、ＰＢＸ４、無線基地局５を介して、無線端末６にも呼出信号が伝送される。なお、図示の例では、呼出状態においては、代表灯１２が点灯または点滅するだけで、個別情報廊下灯２の待機画面の絵柄はそのままで変化しない。
【００３１】
ナースコール親機１および無線端末６は、上記のようにして呼出信号を受信すると、呼出画面が表示され、呼出音が鳴る。なお、呼出動作の詳細な説明は、公知例などを参照ればよく、本明細書では記述を省略する。
【００３２】
この状態で、個別情報廊下灯２のタッチパネル１３の絵柄１４にタッチすると、図３に示すように、
当該個別情報廊下灯２で管理される病室内の４床のベッド配置図が示される。すなわち、４分割された長方形の名前窓１５には患者名がそれぞれ表示されるており、呼出した患者の名前を囲む外枠すなわち名前枠１６が点滅して、どの患者から呼出があったかが視認できるようになっている。
【００３３】
本例では、この名前枠１６の色で呼出の種類を区別できるようになっており、緊急呼出のときは赤色、一般呼出のときは緑色で表示される。また、本例では、患者の性別を、名前窓１５の背景色で区別できるように、男声の場合は青色背景、女性の場合はピンク背景で表示する。さらに、名前の先頭にある四角のマークは救護区分マーク１７を表し、赤色は担送、黄色は護送、白色は独歩を示す。
【００３４】
なお、本例では、前述のように、ナースコール子機２からの呼出時、代表灯１２は点灯するが、絵柄の待機画面は変化しない。絵柄にタッチしない限り、図２のベッド表示画面に遷移しない。すなわち、仮に、呼出状態が放置された状態が続いても、病室の患者名は表示されない。したがって、患者名を秘匿してできるだけ患者のプライバシーを守りたい場合に効果がある。反対に、タッチによる切替操作をしなければ呼出した患者名がわからないのでは不便と言うこともある。その場合には、子機の呼出信号を受信したら、待機画面にタッチしなくても、図３の患者表示画面に自動的に切換えるようにすればよい。
【００３５】
この図３の患者表示画面において、画面の適所、例えば、名前窓１５の名前部分にタッチすると、患者からの呼出状態は復旧し、図１の待機画面に戻る。なお、タッチしないまま一定時間、たとえば１０秒間が過ぎると、同じように、図１の待機画面に戻る。
【００３６】
次に、本発明の主眼である個別情報廊下灯２のデータ入力機能について説明する。図３のように患者画面が表示されている場合には、データ入力対象である患者名の頭にある角マークすなわち救護区分マーク１７にタッチする。そうすると、図４の操作メニュー画面１９に遷移する。
【００３７】
他方、図２のような待機画面が表示されている場合には、まず、待機画面の右下隅の操作マーク１８にタッチする。そうすると、図３と同じような患者画面が表示される。続いて、データ入力対象患者の救護区分マーク１７にタッチすると、前記と同様、図４の操作メニュー画面１９に移行する。
【００３８】
操作メニュー画面１９には、図示の例では、ベッド番号、患者名、年齢、入院日、退院予定日の他に、日付、病棟名、担当医師名が表示されている。
【００３９】
操作メニユー画面１９の下部には、参照ボタン２０、入力ボタン２１、終了ボタン２２が表示されている。参照ボタン２０にタッチすると、後述する図７の患者データ画面２３が表示される。入力ボタン２１にタッチすると、図５の入力メニュー画面２４が表示される。終了ボタン２２にタッチすると、図２の待機画面にもどり、入力操作は終了する。
【００４０】
なお、上記の操作の流れにおいては、ＩＤ入力など操作上の制限がないため、不特定多数の人が個別情報廊下灯２に故意または誤ってタッチすれば、結果として、秘匿すべき患者の個人情報が不必要に閲覧されたり、さらには、患者データが改竄されるおそれもでてくる。結果として、患者のプライバシー保護を含む病院のセキュリティ機能上、重大な問題を惹起することも考えられる。
【００４１】
このようなプライバシー保護上の問題を惹起しないようにするには、入力・閲覧許可者に限り、個人情報廊下灯２による患者情報の閲覧および入力が可能になるようにすることが望ましい。その望ましい一例を説明する。
【００４２】
すなわち、図３の患者画面から、図４の操作メニュー画面１９に遷移するとき、患者データの参照や入力する人を識別できるステップを中間に追加する。そうすることにより、みだりに患者データを閲覧したり、変更できないようにすることができる。
【００４３】
すなわち、公知の方法で、パスワードやＩＤ入力画面を設け、適正な入力がなければ、次のステップに進めないようにすればよい。文字や数字の入力が困難であれば、個別情報廊下灯２の適所に例えば赤外線受信機能を付与し、識別コードを発行する赤外発光式のタッチペンなどと組み合わせることにより、当該タッチペンを所持する看護師など医療従事者以外は、個人別情報廊下灯２に表示される患者データをみだりに閲覧したり、変更できないようにすることができる。
【００４４】
さて、図５は入力メニュー画面２４の1例を示したものであり、図示の例では、入力項目として、１．バイタル、２、食事、３．服薬、４．清潔、５．排泄、６．看護メモの６項目が示され、任意の１項目を選ぶことにより、入力操作は開始される。
【００４５】
図５はさらに詳しく見ると、上記項目のなかの１．バイタルを選択するともに、引き続いてバイタル項目が展開され、体温、血圧、脈拍、呼吸の項目が表示されている。展開項目の中の体温は反転表示され、最終的に、体温入力が選択された状態が示されている。
【００４６】
このようにして体温項目の選択が完了すると、図６の体温入力の画面に遷移する。なお、図5で、選択を完了しないまま、終了ボタン２５にタッチすると、画面は図２の待機画面に移行する。
【００４７】
図６の体温入力画面２６には、日付の他に患者識別データや記録者の名前が表示され、その下部には、当日の体温の変動が測定時刻とともに一覧表示されている。この体温経過表中、Ｎo.項目の３番目の時刻欄には１６：３０が表示されている。最下段の時刻は、入力開始時刻であり、その横の体温欄は未入力のまま白黒反転して表示され、入力対象欄であることを示している。
【００４８】
次に、体温経過表の右側には、入力可能な体温値を縦に並べた体温展開メニュー２７が表示されている。体温展開メニュー２７の上下両端には、黒三角の上向きのアップマーク２８と下向きのダウンマーク２９が表示され、必要に応じて、これらのマーク２８、２９にタッチすることにより、反転表示されているカーソル値を変更し、入力すべき体温値を選択できるようになっている。
【００４９】
なお、体温展開値において、反転表示されるカーソル初期値は、既定値として、前回体温値に設定されるようにすることにより、前回体温と、今回体温を比較しながら体温値を選択することができる。
【００５０】
体温値を選択後、登録ボタン３０にタッチすると、当該患者の新規な体温値が入力時刻とともに登録される。同時に、ナースコール親機１を介してナースコールサーバ８に送られて当該患者の体温値を更新・記憶するとともに、必要に応じて、院内情報システム１０および看護支援システム９の関連データを更新する。なお、このようにして、体温入力が完了すると、画面は図２の待機画面に切換えられる。
【００５１】
次に、図４の操作メニユー画面１９において、参照ボタン２０にタッチした場合について説明する。すなわち、参照ボタン２０にタッチすると、画面は、図７の患者データ画面２３に遷移する。この画面には、指定した患者の個人データが表示される。
【００５２】
図７の実施例では、上部エリアに指定患者の２日分の温度表のグラフが示され、下部エリアには、２日分の主要な患者データとして、血圧、食事の種類、尿回数、尿量、便回数、便性状データが示されている。なお、表示すべき患者データは、病院や介護施設の個々の形態により、異なるため、それぞれに応じてデータ項目の追加または削除をする必要がある。
【００５３】
図８は、個別情報廊下灯２のブロック回路図であり、個別情報廊下灯２の全体動作を制御する、ＣＰＵを含む制御部３１と、複数のナースコール子機３が接続される入出力回路３２と、画面表示機能を有するタッチパネル１３と、ナースコール子機３から呼出されたとき、点灯または点滅して呼出を報知する代表灯１２と、患者データや制御データのほかに音声データの送受信を行うデータ送受信回路３３と、制御部３１の動作を規定するプログラムや患者データなどを記憶する記憶部３４から構成される。
【００５４】
次に、図８により、個別情報廊下灯２の動作を説明する。
ナースコール子機３の呼出ボタンが押されると、入出力回路３２を介して呼出信号が制御部３１に送信される。制御部３１は、記憶部３４に記憶されている子機識別データなどを参照して、子機番号や呼出種別を含む呼出送信データを作成し、これを、データ送受信回路３３を通してナースコール親機１へ送信する。ナースコール親機１は、呼出信号の受信が完了すると、個別情報廊下灯２に対して、受信完了を示す応答信号を返信する。
【００５５】
制御部３１は、データ送受信回路３３を介してこの応答信号を受信すると、代表灯１２を点滅させるとともに、記憶部３４を構成しているＲＡＭに記憶されている患者名テーブルにおいて、呼出をした患者の呼出表示フラグがセットされる。この状態で、タッチパネル１３にタッチすると、待機画面から患者表示画面に移行し、呼出表示フラグがセットされた患者の名前窓１５の名前枠１６が点滅するので、どの患者が呼出をしているかわかる。
【００５６】
制御部３１に接続されている記憶部はＲＯＭおよびＲＡＭから構成され、ＲＯＭには、データ送受信回路３３、タッチパネル１３、入出力回路３２、代表灯１２などの制御プログラムの他に、各画面のレイアウトや色などの画面データが適宜記憶される。他方、記憶部３４のＲＡＭには、当該廊下灯２の管理対象となる患者名すなわち、図示の例では４人の患者名とその個人情報が記憶される。当該個人情報は、ナースコールサーバ８からナースコール親機１を介して送信される患者データをベースとして、個人別情報廊下灯２に入力される患者データで更新される。
【００５７】
ナースコール子機３からの呼出しに対して、ナースコール親機１または無線端末６で応答操作すると、この応答信号はデータ送受信回路３３を通して、制御部３１に伝わり、制御部３１の働きで代表灯１２は消灯する。同時に、個別情報廊下灯２の患者表示画面は消えて待機画面に復旧するとともに、ナースコール親機１または無線端末６とナースコール子機３との通話路を閉成する。ナースコール親機１または無線端末６で通話終了操作がされることにより、当該通話路を開放する。
【図面の簡単な説明】
【００５８】
【図１】本発明によるナースコールシステムの１実施例を示す概略構成明図。
【図２】本発明の１実施例における個別情報廊下灯の待機状態の正面図
【図３】本発明の１実施例における個別情報廊下灯の患者表示状態の正面図
【図４】本発明の１実施例における個別情報廊下灯の操作メニュー画面
【図５】本発明の１実施例における個別情報廊下灯の入力メニュー画面
【図６】本発明の１実施例における個別情報廊下灯の体温入力画面
【図７】本発明の１実施例における個別情報廊下灯の患者データ表示画面
【図８】本発明の１実施例における個別情報廊下灯のブロック回路図
【符号の説明】
【００５９】
１・・・ナースコール親機、２・・・個別情報廊下灯、３・・・ナースコール子機、７・・・院内システムネットワーク、８・・・ナースコールサーバ、９・・・看護支援システム、１０・・・院内情報システム、１２・・・代表灯、１３・・・タッチパネル、１４・・・絵柄、１５・・・名前窓、１６・・・名前枠、
１９・・・操作メニュー画面、２０・・・参照ボタン、２１・・・入力ボタン、２２終了ボタン、２３・・・患者データ画面、２４・・・入力メニュー画面、２６・・・体温入力画面
【図２】
2005339327.tif 000003
【図３】
2005339327.tif 000004
【図４】
2005339327.tif 000005
【図５】
2005339327.tif 000006
【図６】
2005339327.tif 000007
【図７】
2005339327.tif 000008
【図８】
2005339327.tif 000009
【図１】
2005339327.tif 000010